(57)【要約】      （修正有）【課題】隔壁がありながら可撓性が良好で製作性と製品品質の向上を図った波形可撓管の製造方法及び製造装置とこれで製造された波形可撓管を提供する点にある。【解決手段】成型経路部Ｂ１の上手側に配備された第1ダイス５の第一樹脂押出口５Ａから連続して筒状の未硬化の管壁用樹脂４Ａを押し出し、それを両分割型３Ａ，３Ｂの半周壁成型面３ａ，３ｂに密着させることにより、大径管壁部１Ａと小径管壁部１Ｂとこれらを繋ぐ側壁部１Ｃを備えた波形可撓管１を形成し、第２ダイス６に形成された第二樹脂押出口６Ａから連続して押し出される未硬化状態の隔壁用樹脂４Ｂを、半周壁成型面３ａ，３ｂに密着して未硬化状態にある波形可撓管１内を横断する状態でそれの小径管壁部１Ｂの内周面又は小径管壁部１Ｂの内周面とこれに連続する側壁部１Ｃの内周面の一部に亘る部位に融着又は融合して、管内を区画する隔壁２を形成する。【選択図】図１
2008149479.tif 000002
【特許請求の範囲】
【請求項１】
波形可撓管の一方の半外周面に対する第1半周壁成型面を備えた多数の第1分割型と波形可撓管の他方の半外周面に対する第２半周壁成型面を備えた多数の第２分割型とを、対向する循環経路の成型経路部において型合わせ状態で移動させながら、その型合わせされた両分割型内の成型空間内に臨む状態で成型経路部の上手側に配備された第1ダイスの第一樹脂押出口から連続して筒状の未硬化の管壁用樹脂を押し出し、それを両分割型の半周壁成型面に密着させることにより、大径管壁部と小径管壁部とこれらを繋ぐ側壁部を備えた波形可撓管を製造する方法であって、
前記第１ダイスの第1樹脂押出口よりも下手側位置において、第２ダイスに形成された第二樹脂押出口から連続して押し出される未硬化状態の隔壁用樹脂を、前記半周壁成型面に密着して未硬化状態にある波形可撓管内を横断する状態でそれの小径管壁部の内周面又は小径管壁部の内周面とこれに連続する側壁部の内周面の一部に亘る部位に融着又は融合して、管内を区画する隔壁を形成することを特徴とする波形可撓管の製造方法。
【請求項２】
大径管壁部と小径管壁部とこれらを繋ぐ側壁部を備えた波形可撓管の一方の半外周面に対する第1半周壁成型面を備えた多数の第1分割型を循環移動させる第１循環路と、波形可撓管の他方の半外周面に対する第２半周壁成型面を備えた多数の第２分割型を循環移動させる第２循環路とを備え、且つ、この両循環路の相対向する成型経路部において両分割型を型合わせ状態で移動させる型循環移動手段が設けられているとともに、この型循環移動手段で型合わせされた両分割型内の成型空間内に臨む成型経路部の上手側部位に両分割型の半周壁成型面に対して筒状の未硬化の管壁用樹脂を連続的に押し出すための第１樹脂押出口を備えた第１ダイスが配備され、更に前記第１樹脂押出口から押し出された未硬化の管壁用樹脂を両分割型の半周壁成型面に密着させる樹脂密着手段が設けられている波形可撓管の製造装置であって、
前記第１ダイスの第1樹脂押出口よりも下手側部位に、前記両分割型の半周壁成型面に密着して未硬化状態にある波形可撓管の小径管壁部の内周面又は小径管壁部の内周面とこれに連続する側壁部の内周面の一部に亘る部位に対して波形可撓管内を横断する状態で未硬化状態の隔壁形成用樹脂を連続的に押し出して融着又は融合させるための第２樹脂押出口を備えた第２ダイスが配備されている波形可撓管の製造装置。
【請求項３】
大径管壁部と小径管壁部とこれらを繋ぐ側壁部を備えた波形可撓管内を区画する隔壁が、前記小径管壁部の内周面又は小径管壁部の内周面とこれに連続する側壁部の内周面の一部に亘る部位に固着させた状態で形成されている波形可撓管。
【請求項４】
前記隔壁の中央側厚みが管壁側よりも薄肉に形成されている請求項３記載の波形可撓管。
【発明の詳細な説明】
【技術分野】
【０００１】
本発明は、屈曲可能な合成樹脂製の波形可撓管内に隔壁を備える波形可撓管の製造方法及びその製造装置と波形可撓管に関する。
【背景技術】
【０００２】
この種、波形可撓管の製造方法においては、波形可撓管の一方の半外周面に対する第1半周壁成型面を備えた多数の第1分割型と波形可撓管の他方の半外周面に対する第２半周壁成型面を備えた多数の第２分割型とを、対向する循環経路の成型経路部において型合わせ状態で移動させながら、その型合わせされた両分割型内の成型空間内に臨む状態で成型経路部の上手側に配備されたダイスの第一樹脂押出口から連続して筒状の未硬化の管壁用樹脂を押し出し、それを両分割型の半周壁成型面に密着させることにより、大径管壁部と小径管壁部とを備えた波形可撓管を形成する。
そして、管壁の形成と連動してダイスの径方向内方に、前記管壁用樹脂押出口よりも小径の複数の小径筒用樹脂押出口が均等配置に形成され、これら小径筒用樹脂押出口から連続して筒状に押し出される未硬化状態の小径筒用樹脂の内部を加圧状態にして、各小径筒用樹脂を径方向に拡径状態に膨張させて、小径筒用樹脂の周壁部を管壁の内周面に圧接して融着するとともに、対向する小径筒用樹脂の周壁部が互いに圧接して融着することにより、管内を全長に亘って複数に区画する隔壁を形成する（例えば、特許文献１を参照）。
【０００３】
【特許文献１】特許第３７０８６５９号公報（第４-５頁、図５、図１３）
【発明の開示】
【発明が解決しようとする課題】
【０００４】
このような製造方法においては、夫々の小径筒用樹脂内の加圧が均一であることによって、対向する小径筒用樹脂の周壁部同士の圧接力が均衡して各区画の大きさが等しくなる隔壁が形成される。
しかしながら、夫々の小径筒用樹脂内を均等な加圧状態にするには制御が難しく、加えて、夫々の加圧が均等であっても、押し出される小径筒用樹脂は熱可塑化されたものであり肉厚が不均一である場合等、対向する小径筒用樹脂同士の圧接力に不均衡を生じる。そのため、加圧の不均一や隔壁の形状が不均一になる等によって、区画のあり方にバラツキを生じることになり製作性や製品品質が悪い問題がある。
また、管壁用樹脂の内部を加圧状態にして拡径状態に膨張させて管壁成型面に密着させて管壁を形成する方法では、管壁成型面に対する管壁用樹脂の密着精度が悪い傾向がある上に、この管壁の内周面に小径筒用樹脂の周壁部が重なるように融着して肉厚な管壁が形成されるので管壁が肉厚となり可撓性が悪い問題があり、曲げにくく波形可撓管として品質が悪い問題がある。
本発明は上記の事情に鑑みてなされたものであり、その目的とするところは、隔壁がありながら可撓性が良好で製作性と製品品質の向上を図った波形可撓管の製造方法及び製造装置とこれで製造された波形可撓管を提供する点にある。
【課題を解決するための手段】
【０００５】
本発明の第一番目の波形可撓管の製造方法の特徴構成は、波形可撓管の一方の半外周面に対する第1半周壁成型面を備えた多数の第1分割型と波形可撓管の他方の半外周面に対する第２半周壁成型面を備えた多数の第２分割型とを、対向する循環経路の成型経路部において型合わせ状態で移動させながら、その型合わせされた両分割型内の成型空間内に臨む状態で成型経路部の上手側に配備された第1ダイスの第一樹脂押出口から連続して筒状の未硬化の管壁用樹脂を押し出し、それを両分割型の半周壁成型面に密着させることにより、大径管壁部と小径管壁部とこれらを繋ぐ側壁部を備えた波形可撓管を製造する方法であって、
前記第１ダイスの第1樹脂押出口よりも下手側位置において、第２ダイスに形成された第二樹脂押出口から連続して押し出される未硬化状態の隔壁用樹脂を、前記半周壁成型面に密着して未硬化状態にある波形可撓管内を横断する状態でそれの小径管壁部の内周面又は小径管壁部の内周面とこれに連続する側壁部の内周面の一部に亘る部位に融着又は融合して、管内を区画する隔壁を形成する点にある。
【０００６】
上記特徴構成によれば、波形可撓管を形成する第１ダイスより下手側位置において、第２ダイスにより管内を区画する隔壁を形成するといった簡単な方法によって、小径管壁部の内周面又は小径管壁部の内周面とこれに連続する側壁部の内周面の一部に亘る部位に固着される隔壁を有する波形可撓管を形成することができる。
【０００７】
従って、ダイスから押し出される複数の小径筒用樹脂内を加圧して波形可撓管に隔壁を形成する従来の波形可撓管の製造方法に比べて、各小径筒用樹脂内を均一に加圧制御する問題や、小径筒用樹脂の厚さが不均一等によって隔壁による区画にバラツキを生じ品質が不安定な製造方法に比べて、簡単な製造方法によって安定して品質の良い隔壁を備えた波形可撓管を製作することができる。
【０００８】
本発明の第二番目の波形可撓管の製造装置の特徴構成は、大径管壁部と小径管壁部とこれらを繋ぐ側壁部を備えた波形可撓管の一方の半外周面に対する第1半周壁成型面を備えた多数の第1分割型を循環移動させる第１循環路と、波形可撓管の他方の半外周面に対する第２半周壁成型面を備えた多数の第２分割型を循環移動させる第２循環路とを備え、且つ、この両循環路の相対向する成型経路部において両分割型を型合わせ状態で移動させる型循環移動手段が設けられているとともに、この型循環移動手段で型合わせされた両分割型内の成型空間内に臨む成型経路部の上手側部位に両分割型の半周壁成型面に対して筒状の未硬化の管壁用樹脂を連続的に押し出すための第１樹脂押出口を備えた第１ダイスが配備され、更に前記第１樹脂押出口から押し出された未硬化の管壁用樹脂を両分割型の半周壁成型面に密着させる樹脂密着手段が設けられている波形可撓管の製造装置であって、
前記第１ダイスの第1樹脂押出口よりも下手側部位に、前記両分割型の半周壁成型面に密着して未硬化状態にある波形可撓管の小径管壁部の内周面又は小径管壁部の内周面とこれに連続する側壁部の内周面の一部に亘る部位に対して波形可撓管内を横断する状態で未硬化状態の隔壁形成用樹脂を連続的に押し出して融着又は融合させるための第２樹脂押出口を備えた第２ダイスが配備されている点にある。
【０００９】
上記特徴構成によれば、第１ダイスの第一樹脂押出口から押し出される未硬化状態の管壁用樹脂を半周壁成型面に密着されることにより、大径管壁部と小径管壁部とこれらを繋ぐ側壁部を備える波形可撓管が形成され、第２ダイスの第二樹脂押出口から押し出される未硬化状態の隔壁用樹脂を未硬化状態にある管壁における小径管壁部の内周面又は小径管壁部の内周面とこれに連続する側壁部の内周面の一部に亘る部位に融着又は融合することにより、大径管壁部の内周面には隔壁が融着又は融合されることなく管内を隔壁で区画する波形可撓管を製造することができる。
【００１０】
従って、波形可撓管を成型しながら管内で複数の小径筒用樹脂内を加圧して隔壁を形成するため、各小径筒用樹脂内を加圧する加圧装置や加圧を小径筒用樹脂内に案内する経路等を必要とする従来の波形可撓管の製造装置などに比べて、簡単な製造装置によって管内を隔壁で区画する波形可撓管を製作することができるとともに、管内が隔壁で区画されているにもかかわらず、大径管壁部が隔壁による拘束を受けないので、可撓性が良好な波形可撓管を製造することができる。
【００１１】
本発明の第三番目の波形可撓管の特徴構成は、大径管壁部と小径管壁部とこれらを繋ぐ側壁部を備えた波形可撓管内を区画する隔壁が、前記小径管壁部の内周面又は小径管壁部の内周面とこれに連続する側壁部の内周面の一部に亘る部位に固着させた状態で形成されている点にある。
【００１２】
上記特徴構成によれば、隔壁が小径管壁部の内周面に固着される場合、大径管壁部の内周面及び側壁部の内周面には隔壁が固着されないので、大径管壁部の内面側に隔壁が固着されない空間が形成され、可撓性が良好な波形可撓管を形成することができる。
また、隔壁が小径管壁部の内周面とこれに連続する側壁部の内周面の一部、つまり、大径管壁部の内周面には連続しない側壁部の内周面の一部に亘る部位に固着される場合、大径管壁部の内周面及び側壁部の内周面の残りの一部に隔壁が固着されないので、この場合においても大径管壁部の内面側に隔壁が形成されない空間が形成され、可撓性が良好な波形可撓管を形成することができる。
さらに、隔壁が、小径管壁部の内周面に固着される部位と、小径管壁部の内周面とこれに連続する側壁部の内周面の一部に亘る部位に固着される場合においても、両者に大径管壁部の内面側に隔壁が固着されない空間が形成されるので、可撓性が良好な波形可撓管を形成することができる。
【００１３】
従って、管内を区画する隔壁が形成されていながら、可撓性が良好な波形可撓管を提供することができる。
【００１４】
本発明の第４番目の波形可撓管の特徴構成は、前記隔壁の中央側厚みが管壁側よりも薄肉に形成されている点にある。
【００１５】
上記特徴構成によれば、波形可撓管を屈曲した際、管内を区画する隔壁がありながら、
隔壁の中央側が薄肉に形成されていることによって、可撓管自体の曲げに追従して隔壁が容易に曲がることになる。
【００１６】
従って、管壁内に隔壁が形成されているにもかかわらず、可撓性が良好で、使い勝手がよい波形可撓管を形成することができる。
【発明を実施するための最良の形態】
【００１７】
以下、本発明を適用した波形可撓管の製造方法及びその製造方法と波形可撓管を図面に基づいて説明する。
【００１８】
〔実施形態〕
１．波形可撓管の製造方法
この実施形態の波形可撓管の製造方法は、図１に示すように、波形可撓管１の一方の半外周面に対する第1半周壁成型面３ａを備えた多数の第1分割型３Ａと波形可撓管１の他方の半外周面に対する第２半周壁成型面３ｂを備えた多数の第２分割型３Ｂとを、対向する循環経路Ｒ，Ｌの成型経路部Ｂ１において型合わせ状態で移動させながら、その型合わせされた両分割型３Ａ，３Ｂ内の成型空間内に臨む状態で成型経路部Ｂ１の上手側に配備された第1ダイス５の第一樹脂押出口５Ａから連続して筒状の未硬化の管壁用樹脂４Ａを押し出し、それを両分割型３Ａ，３Ｂの半周壁成型面３ａ，３ｂに密着させることにより、大径管壁部１Ａと、小径管壁部１Ｂと、これらを繋ぐ側壁部１Ｃを備えた波形可撓管１を形成する。
【００１９】
次いで、前記第１ダイス５の第1樹脂押出口５Ａよりも下手側位置において、図２〜図４に示すように、第２ダイス６に形成された第二樹脂押出口６Ａから連続して押し出される未硬化状態の隔壁用樹脂４Ｂを、前記半周壁成型面３ａ，３ｂに密着して未硬化状態にある波形可撓管１内を横断する状態でそれの小径管壁部１Ｂの内周面又は小径管壁部の内周面とこれに連続する側壁部の内周面の一部に亘る部位に融着又は融合して、管内を区画する隔壁２を形成する。
【００２０】
次いで、管壁１内を区画する隔壁用樹脂４Ｂが循環移動する分割型３Ａ，３Ｂの移動途上で未硬化状態から硬化状態に至るまでに、中央部が重力によって垂れ下ることによって、中央側厚みが管壁である小径管壁部側よりも薄肉に形成された隔壁２を形成する。
【００２１】
このような製造方法によれば、波形可撓管１を形成する第１ダイス５より下手側位置に、第２ダイス６により波形可撓管１内を区画する隔壁２を形成するといった簡単な方法によって、隔壁２を有する波形可撓管１を形成することができる。
【００２２】
２.波形可撓管の製造方法を用いた製造装置
この実施形態の波方可撓管の製造装置Ａは、図１〜図４に示すように、大径管壁部１Ａと小径管壁部１Ｂとこれらを繋ぐ側壁部１Ｃを備えた波形可撓管１の一方の半外周面に対する第1半周壁成型面３ａを備えた多数の第1分割型３Ａを循環移動させる第１循環路Ｒと、波形可撓管の他方の半外周面に対する第２半周壁成型面３ｂを備えた多数の第２分割型３Ｂを循環移動させる第２循環路Ｌとを備え、且つ、この両循環路Ｒ，Ｌの相対向する成型経路部において両分割型３Ａ，３Ｂを型合わせ状態で移動させる型循環移動手段Ｂが設けられているとともに、この型循環移動手段Ｂで型合わせされた両分割型３Ａ，３Ｂ内の成型空間内に臨む成型経路部の上手側部位に両分割型３Ａ，３Ｂの半周壁成型面３ａ，３ｂに対して筒状の未硬化の管壁用樹脂４Ａを連続的に押し出すための第１樹脂押出口５Ａを備えた第１ダイス５が配備され、更に前記第１樹脂押出口５Ａから押し出された未硬化の管壁用樹脂４Ａを両分割型３Ａ，３Ｂの半周壁成型面３ａ，３ｂに密着させる樹脂密着手段Ｃが設けられている。
【００２３】
加えて、前記第１ダイス５の第1樹脂押出口５Ａよりも下手側部位に、前記両分割型３Ａ，３Ｂの半周壁成型面３ａ，３ｂに密着して未硬化状態にある波形可撓管１の小径管壁部１Ｂの内周面又は小径管壁部１Ｂの内周面とこれに連続する側壁部１Ｃの内周面の一部に亘る部位に対して該波形可撓管１内を横断する状態で未硬化状態の隔壁用樹脂４Ｂを連続的に押し出して融着又は融合させるための第２樹脂押出口６Ａを備えた第２ダイス６が配備されている。
【００２４】
前記型循環移動手段Ｂの第１循環路Ｒは、波形可撓管Ａの管軸芯を通る成型中心線Ｘの一側脇に形成され、前記第２循環路Ｌは、成型中心線Ｘの他側脇に形成されている。
【００２５】
この実施形態の型循環移動手段Ｂは、第一・第二分割型３Ａ，３Ｂが、対向する循環経路Ｒ，Ｌに沿って循環搬送され、循環始端において順次に対向する第一・第二分割型３Ａ，３Ｂが型合わせされる接合状態に、循環下手側において接合状態から対向する分割型３Ａ，３Ｂが順次に離隔する分離状態に循環搬送される。
【００２６】
前記第一・二循環経路Ｒ，Ｌは、図示しないが、例えば、一端側にモータの回転出力軸に減速機などを介して連係された駆動側スプロケット、他端側に従動スプロケットを巻回して長円無端軌道となったチェーンに沿った経路から構成され、この各チェーンに沿って多数の対応する分割型３Ａ，３Ｂが連結されている。
【００２７】
前記樹脂密着手段Ｃは、第一・第二分割型３Ａ，３Ｂの大径型壁部に形成される吸引孔３Ｃ，３Ｄと、これらの吸引孔３Ｃ，３Ｄに接続される真空ポンプＶＰから構成され、前記第一樹脂押出口５Ａから連続して押し出される未硬化状態の管壁用樹脂４Ａを両分割型３Ａ，３Ｂの半周壁成型面３ａ，３ｂに吸着によって密着する。
【００２８】
前記第１ダイス５は、未硬化樹脂の供給源（図示せず）と連通し、供給ポンプ等の供給手段によって供給をうける樹脂供給路５Ｅが形成され、先端に円柱状の孔が形成されるダイス本体５Ｂと、これの円柱状孔の孔径よりも小径で先端部から奥方に直線状のスリット５Ｃａが形成される芯型５Ｃが内嵌状態にボルト連結されて、ダイス本体５Ｂと芯型５Ｃとの間に樹脂供給路５Ｅと連通する環状路５Ｄが形成され、これの出口から第一樹脂押出口５Ａが形成されている。この実施形態の芯型５Ｃのスリット５Ｃａは、芯型５Ｃの最大径位置を横断する状態に形成されている。
【００２９】
前記第２ダイス６は、図２、図３に示すように、異径円柱形態で基端から先端に至って幅が漸次に広がる案内路６Ｂが穿孔形成され、第１ダイス５の芯型５Ｃのスリット５Ｃａと連通状態に、第１ダイス５の芯型５Ｃとボルト連結される。
【００３０】
前記案内路６Ｂの基端側の入口は、第１ダイス５の芯型５Ｃのスリット５Ｃａの先端出口と同形状の開口に形成され、第１ダイス５側からの未硬化状態の樹脂を導入可能に構成され、案内路６の先端側の出口つまり第２樹脂押出口６Ａは、半周壁成型面３ａ，３ｂの小径管壁部１Ｂの内面又は小径管壁部１Ｂの内周面とこれに連続する側壁部１Ｃの内周面の一部に亘る部位に近接する開口幅に形成され、この案内路６を経由して押し出される未硬化状態の隔壁用樹脂４Ｂを半周壁成型面３ａ，３ｂに融着又は融合可能に構成されている。
【００３１】
また、第２ダイス６の案内路６Ｂは、経路長さが長い程、内部を通過する未硬化状態の樹脂を硬化させるように冷却作用するので、案内路６Ｂから連続して押し出された隔壁用樹脂４Ｂが未硬化状態に維持される経路長さに構成されている。
【００３２】
この実施形態における第２ダイス６において、基端から下手側の基端部は、第１ダイス５の芯型５Ｃの最大外径部から下手に沿って漸次に、分割型３Ａ，３Ｂの半周壁成型面３ａ，３ｂに近接してテーパー状に拡径する案内面６Ｃ形成されて、第１樹脂押出口５Ａから押し出される未硬化樹脂を基端部に沿って順次に拡径した状態で半周壁成型面３ａ，３ｂに案内する構成になっている。
【００３３】
また、第２ダイス６の中間部は、半周壁成型面３ａ，３ｂに密着する小径管壁部１Ｂの内径に対応する外径に形成されている。
【００３４】
さらに、第２ダイス６の先端部は、中間部よりも僅かに小径な外径に形成されるが、分割型３Ａ，３Ｂの半周壁成型面３ａ，３ｂに密着する未硬化状態の波形可撓管１の小径管壁部１Ｂに近接し、第２樹脂押出口６Ａから押し出される未硬化状態の隔壁用樹脂４Ｂが、小径管壁部１Ｂの内周面又は小径管壁部１Ｂの内周面とこれに連続する側壁部１Ｃの内周面の一部に亘る部位に融着又は融合可能に構成されている。
【００３５】
このような製造装置Ａによれば、第1ダイス５の第一樹脂押出口から連続して筒状の未硬化の管壁用樹脂４Ａを押し出し、それを両分割型３Ａ，３Ｂに形成された吸引孔３Ｃ，３Ｄでの吸引作用による負圧で両分割型３Ａ，３Ｂの半周壁成型面３ａ，３ｂに密着させることにより、大径管壁部１Ａと小径管壁部１Ｂとを備えた波形可撓管１が形成される。
【００３６】
前記第１ダイス５の第1樹脂押出口５Ａよりも下手側位置において、第２ダイス６に形成された第二樹脂押出口６Ａから連続して押し出される直線状の未硬化状態の隔壁用樹脂４Ｂの両端部４Ｂａ，４Ｂａを、前記半周壁成型面３ａ，３ｂに密着して未硬化状態にある波形可撓管１内を横断する状態でそれの小径管壁部１Ｂの内周面又は小径管壁部１Ｂの内周面とこれに連続する側壁部１Ｃの内周面の一部に亘る部位に融着又は融合して、波形可撓管１を区画する隔壁２が形成される。
そして、この隔壁２によって波形可撓管１が２分割に区画された管経路１Ｄ，１Ｅを形成する。
【００３７】
続いて、波形可撓管１内を区画する隔壁２が、型循環移動手段Ｂの移動に伴って未硬化状態から硬化状態に至るまでに、中央部が重力によって垂れ下る。その結果、中央側厚みが管壁側よりも薄肉に形成された隔壁２が形成される。
【００３８】
３.波形可撓管
図５〜図８に示すように、大径管壁部１Ａと、小径管壁部１Ｂと、これらを繋ぐ側壁部１Ｃとを備える波形可撓管１には、小径管壁部１Ｂの内周面又は小径管壁部１Ｂの内周面とこれに連続する側壁部１Ｃの内周面の一部に亘る部位に固着させた状態で管内を区画する隔壁２が管長手方向に沿って形成されている。言い換えれば、前記隔壁２は、大径管壁部１Ａの内周面には固着されていない隔壁構成になっている。
【００３９】
そして、この隔壁２によって波形可撓管１が２分割に区画された管経路１Ｄ，１Ｅが形成されている。
【００４０】
この実施形態の波形可撓管１においては、図６に示すように、隔壁２が小径管壁部１Ｂの内周面に固着する箇所（図中ａで示す箇所）と、隔壁２が小径管壁部１Ｂの内周面とこれに連続する側壁部１Ｃの内周面の一部に亘る部位に固着する箇所（図中ｂで示す箇所）との両者が管長手方向に沿って存在している例を示している。
【００４１】
この実施形態の波形可撓管１においては、隔壁２の中央側厚みが管壁側よりも薄肉に形成されている。
【００４２】
波形可撓管１は、架橋ポリエチレン管以外に、ポリエチレン管、ポリブデン管等の可撓性を有する合成樹脂から形成されている。
【００４３】
このような波形可撓管１であれば、隔壁２が小径管壁部１Ｂの内周面に固着される箇所では、大径管壁部１Ａの内周面及び側壁部１Ｃには隔壁２が固着されないので、大径管壁部１Ａの内面側に隔壁２が固着されない空間が形成され可撓性がよいとともに、隔壁２が小径管壁部１Ｂの内周面とこれに連続する側壁部１Ｃの内周面の一部に亘る部位に固着される箇所では、大径管壁部１Ａの内周面及び側壁部１Ｃの内周面の残りの一部に隔壁２が固着されないので、この場合においても大径管壁部１Ａの内面側に隔壁２が固着されない空間が形成され可撓性が損なわれることがない。ここで、大径管壁部１Ａの内面側に隔壁２が固着されない空間が形成される構造は、大径管壁部１Ａと小径管壁部１Ｂとこれらを繋ぐ側壁部１Ｃを備えた波形可撓管１が何れの曲げ方向に対しても可撓性を形成することができる。
【００４４】
そのため、管内に隔壁２が固着されるものでありながら、可撓性のよい波形可撓管１を形成する。
【００４５】
また、波形可撓管１を屈曲した際、隔壁２の中央側が薄肉に形成されていることによって、可撓管１自体の曲げに追従して隔壁２を容易に曲げることができるので、隔壁２が固着されるものでありながらより可撓性のよい波形可撓管１を形成する。
【００４６】
［別実施形態］
１）  上記実施形態の波形可撓管１においては、小径管壁部１Ｂの内周面に隔壁２が固着する部位と、小径管壁部１Ｂの内周面に連続する側壁部１Ｃの内周面の一部に隔壁２が固着する部位とが管長手方向に沿ってランダムに存在している例を説明したが、本発明はこれに限らず、隔壁が小径管壁部１Ｂの内周面に固着される波形可撓管であってもよく、この場合、大径管壁部１Ａの内周面及び側壁部１Ｃの内周面には隔壁２が固着されないので、大径管壁部１Ａの内面側に隔壁２が固着されない空間が形成されるので、可撓性が良好な波形可撓管を形成することができる。
【００４７】
また、隔壁が小径管壁部１Ｂの内周面とこれに連続する側壁部１Ｃの内周面の一部に固着される波形可撓管であってもよく、この場合、大径管壁部１Ａの内周面及び側壁部１Ｃの残りの一部に隔壁２が固着されないので、この場合においても大径管壁部１Ａの内面側に隔壁２が形成されない空間が形成されるので、可撓性が良好な波形可撓管を形成することができる。
【００４８】
２）  上記実施形態では、管壁用樹脂６Ｂを横断する隔壁位置を最大径位置よりも小径側に第２樹脂押出口を形成する第２ダイス３を用いて、波形可撓管を区画の大きさが極端に異なる隔壁２を構成するものであってもよい。
【００４９】
３）  上記実施形態の波形可撓管１の製造装置では、隔壁２の中央側厚みが管壁側よりも薄肉に形成されているものについて説明したが、本発明はこれに限らず、第２ダイス６の循環路に沿う長さを長くして、未硬化ではあるけれども硬化が進行している隔壁用樹脂４Ｂを第２樹脂押出口から押し出して中央部の重力による垂下が少なく厚みの変化の少ない隔壁を形成するものであってもよい。
また、中央部が薄肉でない隔壁を固着する波形可撓管であってもよい。
【００５０】
３）  上記実施形態の波形可撓管の製造装置において、異径円柱形態の第２ダイスについて説明したが、本発明はこれに限らず、内部の案内路６Ｂの形態はそのままで、外部形状が角柱、楕円柱等の形態であってもよい。
【図面の簡単な説明】
【００５１】
【図１】波形可撓管の製造方法を示す説明図
【図２】波形可撓管の製造方法の要部を示す説明図
【図３】波形可撓管の製造装置の要部を示す説明図
【図４】図１のＩＶ−ＩＶ線断面図
【図５】管壁内に隔壁が形成された波形可撓管の縦断面図
【図６】管壁内に隔壁が形成された波形可撓管の横断面図
【図７】図５のＶＩ−ＶＩ線断面図
【図８】図５のＶＩＩ−ＶＩＩ線断面図
【符号の説明】
【００５２】
Ａ                波形可撓管の製造装置
Ｂ                型循環移動手段
Ｂ１              成型経路部
Ｃ                樹脂密着手段
Ｒ                第１循環経路
Ｌ                第２循環経路
１                波形可撓管
１Ａ              大径管壁部
１Ｂ              小径管壁部
１Ｃ              側壁部
２                隔壁
３Ａ              第1分割型
３Ｂ              第２分割型
３ａ              第1半周壁成型面
３ｂ              第２半周壁成型面
４Ａ              管壁用樹脂
４Ｂ              隔壁用樹脂
５                第1ダイス
５Ａ              第一樹脂押出口
６                第２ダイス
６Ａ              第二樹脂押出口
【図１】
2008149479.tif 000003
【図２】
2008149479.tif 000004
【図３】
2008149479.tif 000005
【図４】
2008149479.tif 000006
【図５】
2008149479.tif 000007
【図６】
2008149479.tif 000008
【図７】
2008149479.tif 000009
【図８】
2008149479.tif 000010